(57)【要約】  従来の冷凍冷蔵庫では野菜室など庫内を加熱する手段として、室内の側壁及び床等にヒータを設置するか、又は室内に冷媒回路の高圧側の露付き防止パイプ等を配置することで対応している。ヒータは電力が必要となり、また高圧側のパイプでは圧縮機の停止時に加熱ができず、庫内を加熱する手段を利用すると消費電力が増大するという課題があった。本発明の冷凍冷蔵庫は、ヒータ又は圧縮機等への投入電力を行わずに室内を加熱できるため、消費電力が低減できる。
2018025301.tif 000002
【特許請求の範囲】
【請求項１】
貯蔵室を有する本体と、
前記貯蔵室を冷却する冷媒回路と、を備え、
前記冷媒回路は、
冷媒を圧縮する圧縮機と、
前記圧縮機の吐出側に接続された凝縮器と、
前記凝縮器に接続された減圧装置と、
前記減圧装置に接続された蒸発器と、
前記蒸発器と前記圧縮機とを接続する配管であり、蒸発器側の配管が前記貯蔵室の壁面に配置された吸入配管と、
前記吸入配管の圧縮機側の配管に並列に接続され、外気と熱交換する熱交換器と、
前記吸入配管と前記熱交換器との分岐位置に設けられ、前記蒸発器と前記圧縮機側の配管とが接続される第１流路と、前記蒸発器と前記熱交換器とが接続される第２流路とを切り換える第１切換え装置と、を備える
冷凍冷蔵庫。
【請求項２】
前記圧縮機の停止時に、前記第２流路になるように前記第１切換え装置を制御する制御装置を更に備える請求項１記載の冷凍冷蔵庫。
【請求項３】
前記冷媒回路は更に、
前記第１切換え装置と前記熱交換器との間に設けられ、前記冷媒を溜めるリザーバを備える請求項１又は２記載の冷凍冷蔵庫。
【請求項４】
前記冷媒回路は更に、
一方が前記減圧装置と前記蒸発器との間の配管に接続され、他方が前記第１切換え装置と前記熱交換器との間の配管に接続されたバイパス管と、
前記バイパス管の前記一方に設けられ、前記減圧装置と前記蒸発器とが接続される第３流路と、前記減圧装置と前記熱交換器とが前記バイパス管を介して接続される第４流路とを切り換えるバイパス切換え装置と、を備える請求項１記載の冷凍冷蔵庫。
【請求項５】
前記圧縮機の停止時に、前記第４流路になるように前記バイパス切換え装置を制御するとともに、前記第２流路になるように前記第１切換え装置を制御する制御装置を更に備える請求項４記載の冷凍冷蔵庫。
【請求項６】
前記本体には温度帯が異なる複数の貯蔵室が設けられ、
前記冷媒回路は前記複数の貯蔵室を冷却するものであり、
前記吸入配管の前記蒸発器側の配管は、前記複数の貯蔵室のうち温度帯が高い貯蔵室の壁面に配置されている請求項１〜５のいずれか一項記載の冷凍冷蔵庫。
【請求項７】
前記本体は更に機械室を有し、
前記熱交換器は、前記機械室に設置される請求項１〜６のいずれか一項記載の冷凍冷蔵庫。
【発明の詳細な説明】
【技術分野】
【０００１】
本発明は、外気を利用した庫内の加熱構造を有する冷凍冷蔵庫に関する。
【背景技術】
【０００２】
冷凍冷蔵庫には、冷蔵室、野菜室、冷凍室など温度帯の異なる複数の部屋を備えたものがある。このような冷蔵庫では、冷えすぎによる野菜の凍結等を防止するために庫内を暖めるヒータ等の加熱装置を備え、電力を投入することで加熱を行って、野菜等の食品が凍結するのを防止している。【０００３】
例えば特許文献１では、野菜室温度が設定温度以下に低下することを防止するため、野菜室に野菜室加熱パイプを配置し、野菜室温度が所定値以下になると、野菜室加熱パイプに高圧の二相状態の冷媒を流して凝縮熱で加熱する冷蔵庫が開示されている。【０００４】
また特許文献２では、野菜室の底面及び背面の一部に加温ヒータを設置し、野菜室専用の温度センサと冷蔵庫の扉の操作パネルに備えた室温センサとで検知された温度により加温ヒータへの通電率を制御する冷蔵庫が開示されている。【０００５】
従来の冷蔵庫では野菜室等を加熱する手段として、室内の側壁及び仕切り板等にヒータを設けるか、又は冷媒回路の高圧側の高温部分の露付き防止パイプ等を野菜室等の室内に設けることで対応していた。
【先行技術文献】
【特許文献】
【０００６】
【特許文献１】特開２０１５−２１８９３８号公報
【特許文献２】特開２００８−７００４１号公報
【発明の概要】
【発明が解決しようとする課題】
【０００７】
しかしながら、ヒータは電力を必要とするため、庫内を加熱する手段を利用すると消費電力が増大する。一方、高圧側の高温パイプで加熱する構成では圧縮機の停止時には加熱ができない。【０００８】
本発明は、上記のような課題を解決するためになされたもので、投入電力を必要とせず、庫内を加熱できる冷凍冷蔵庫を提供することを目的とする。
【課題を解決するための手段】
【０００９】
本発明に係る冷凍冷蔵庫は、貯蔵室を有する本体と、前記貯蔵室を冷却する冷媒回路と、を備え、前記冷媒回路は、冷媒を圧縮する圧縮機と、前記圧縮機の吐出側に接続された凝縮器と、前記凝縮器に接続された減圧装置と、前記減圧装置に接続された蒸発器と、前記蒸発器と前記圧縮機とを接続する配管であり、蒸発器側の配管が前記貯蔵室の壁面に配置された吸入配管と、前記吸入配管の圧縮機側の配管に並列に接続され、外気と熱交換する熱交換器と、前記吸入配管と前記熱交換器との分岐位置に設けられ、前記蒸発器と前記圧縮機側の配管とが接続される第１流路と、前記蒸発器と前記熱交換器とが接続される第２流路とを切り換える第１切換え装置と、を備えるものである。
【発明の効果】
【００１０】
本発明の冷凍冷蔵庫によれば、圧縮機を停止したときに切換え装置によって流路が切換えられ、熱交換器内の冷媒が外気により加熱されて配管に流れるため、配管内の二相冷媒が過熱蒸気となって吸入配管の蒸発器側の配管温度を上昇させる。したがって、ヒータ又は圧縮機等の電力を使用せず、冷媒によって輸送される外気の熱により貯蔵室が加熱される。
【図面の簡単な説明】
【００１１】
【図１】本発明の実施の形態１に係る冷凍冷蔵庫の外観を示す構成図である。
【図２】本発明の実施の形態１に係る冷凍冷蔵庫の内部を示す概略構成図である。
【図３】従来の冷凍冷蔵庫の冷媒回路図である。
【図４】本発明の実施の形態１に係る冷凍冷蔵庫の冷媒回路図である。
【図５】本発明の実施の形態１に係る冷凍冷蔵庫の機械室の一例を示す模式図である。
【図６】本発明の実施の形態２に係る冷凍冷蔵庫の冷媒回路図である。
【図７】本発明の実施の形態３に係る冷凍冷蔵庫の冷媒回路図である。
【発明を実施するための形態】
【００１２】
実施の形態１．
図１及び図２に基づいて、冷凍冷蔵庫の構成について説明する。図１は、本発明の実施の形態１に係る冷凍冷蔵庫の外観を示す構成図である。図２は、本発明の実施の形態１に係る冷凍冷蔵庫の内部を示す概略構成図である。
【００１３】
図２には、冷凍冷蔵庫１００の扉が外されたときの本体内の様子が示されている。冷凍冷蔵庫１００の本体９９内には、上部から冷蔵室５１、製氷室５２、切替室５３、野菜室５４、及び冷凍室５５等の食品を貯蔵する複数の貯蔵室が設けられている。各貯蔵室は温度帯が異なっており、図２に示されるように、隣接する貯蔵室は断熱仕切り壁５６によって仕切られている。また各貯蔵室にはサーミスタ等の温度センサが設けられ、各貯蔵室において温度センサで検出される温度が目標温度となるよう、冷凍冷蔵庫１００の各機器が制御されている。
【００１４】
以下、加熱対象の貯蔵室が、例えば他の貯蔵室より温度帯の低い野菜室５４である場合について説明する。図２に示されるように、野菜室５４の底面には冷媒配管の一部（吸入配管の蒸発器側の配管９ａ）が配置され、野菜室５４を加熱している。
【００１５】
冷凍冷蔵庫１００は、複数の貯蔵室を冷却する冷媒回路３０を備えている。図３〜図５を基に、冷凍冷蔵庫１００の冷媒回路３０について説明する。図３は、従来の冷凍冷蔵庫の冷媒回路図である。図４は、本発明の実施の形態１に係る冷凍冷蔵庫の冷媒回路図である。図５は、本発明の実施の形態１に係る冷凍冷蔵庫の機械室の一例を示す模式図である。
【００１６】
一般に、冷凍冷蔵庫は図３に示される冷媒回路の基本構成を備えている。具体的には、冷媒回路には、圧縮機１と凝縮器２と減圧装置３と蒸発器４とが配管を介して接続されている。
【００１７】
冷凍冷蔵庫１００において冷媒回路３０は、図４に示されるように、圧縮機１と、圧縮機１の吐出側に接続された凝縮器２と、凝縮器２に接続された減圧装置３と、減圧装置３に接続された蒸発器４と、蒸発器４と圧縮機１とを接続する吸入配管９と、を備えている。また冷媒回路３０は、吸入配管９の圧縮機側の配管９ｂに並列に接続された熱交換器８と、吸入配管９と熱交換器８との分岐位置に設けられた第１切換え装置５と、熱交換器８と吸入配管９との合流位置に設けられた第２切換え装置６と、を備えている。熱交換器８は、第１切換え装置５及び第２切換え装置６とそれぞれ配管１１を介して接続されている。
【００１８】
圧縮機１は、冷媒を圧縮して吐き出し、循環させるものである。凝縮器２は、例えば放熱パイプ等で構成され、圧縮機１で圧縮された冷媒を凝縮し液化する。また図５に示されるように、冷凍冷蔵庫１００の本体９９の背面下側には、複数の貯蔵室とは別に機械室６０が設けられている。圧縮機１及び凝縮器２は、機械室６０に配置されている。また機械室６０には機械室ファン６１が設置されており、圧縮機１等から放出される熱で機械室６０の温度が高くなり過ぎないよう制御されている。冷凍冷蔵庫１００が使用されるとき、通常、機械室６０には機械室カバーが取り付けられ、機械室６０は外部から見えないようになっている。機械室カバーには多数の空気孔が設けられており、機械室ファン６１は、空気孔を介して外気を機械室に取り込み、機械室６０内を通過させて外部に排出している。
【００１９】
減圧装置３は、例えば絞り配管等で構成され、凝縮器２で液化された冷媒を減圧する。蒸発器４は、減圧装置３で減圧された冷媒を蒸発させる。蒸発器４は、この蒸発したときの吸熱作用により冷凍冷蔵庫１００内の空気を冷却している。また冷凍冷蔵庫１００の背面内部には冷却室が形成されており、蒸発器４は冷却室に配置されている。蒸発器４により冷却された空気は、送風ファン及びダンパ装置等によって、冷凍冷蔵庫１００内に形成された風路を通って各貯蔵室へ送られる。
【００２０】
吸入配管９の蒸発器側の配管９ａは、野菜室５４の壁面に配置されている。蒸発器側の配管９ａが設けられる野菜室５４の壁面は、例えば、冷凍冷蔵庫１００の本体壁面で構成される野菜室５４の側面、断熱仕切り壁５６で構成される野菜室５４の上面若しくは底面等である。蒸発器側の配管９ａは、複数の壁面にわたって配置されてもよいし、又は図２に示されるように一壁面に配置されてもよい。
【００２１】
熱交換器８は、外気と熱交換するものである。図５では、熱交換器８は機械室６０に設置されており、冷媒と周囲空気との間で熱交換を行っている。
【００２２】
第１切換え装置５及び第２切換え装置６はそれぞれ３方弁もしくは複数の２方弁等で構成される。第１切換え装置５の３方弁のうち１つのポートは吸入配管９の蒸発器側の配管９ａと接続され、残り２つのポートの一方は吸入配管９の圧縮機側の配管９ｂと接続され、残り２つのポートの他方は配管１１に接続されている。第２切換え装置６の３方弁のうち１つのポートは圧縮機１と接続され、残り２つのポートの一方は吸入配管９の圧縮機側の配管９ｂと接続され、残り２つのポートの他方は配管１１に接続されている。第１切換え装置５は、接続状態を切り換えることによって、蒸発器４と圧縮機側の配管９ｂとが接続される第１流路Ｆ１と、蒸発器４と熱交換器８とが接続される第２流路Ｆ２とを切り換える。また第２切換え装置６は、接続状態を切り換えることによって、圧縮機側の配管９ｂと圧縮機１とが接続される流路と、熱交換器８と圧縮機１とが接続される流路とを切り換える。
【００２３】
また冷凍冷蔵庫１００は、図４に示されるように制御装置５０を備えている。制御装置５０は、例えば制御基板等で構成され、圧縮機１が運転中であるか停止中であるかを示す運転情報を含む信号を取得する。そして制御装置５０は、取得した圧縮機１の運転情報に基づいて第１切換え装置５及び第２切換え装置６を制御する。
【００２４】
次に図４に基づいて、冷凍冷蔵庫１００の動作及び冷媒の流れについて説明する。圧縮機１の運転時には、制御装置５０は、第１切換え装置５を第１流路Ｆ１の状態にし、第２切換え装置６を圧縮機側の配管９ｂと圧縮機１とが接続された状態にしている。つまり、圧縮機１から吐出された冷媒は、凝縮器２、減圧装置３、蒸発器４を順次通過し、吸入配管９を通って圧縮機１に吸入され、冷媒回路３０を循環している。図中、圧縮機１運転中の冷媒の流れ方向７が矢印で示されている。
【００２５】
圧縮機１が停止すると、制御装置５０は、第１切換え装置５を第２流路Ｆ２に切り換えるとともに、第２切換え装置６を熱交換器８と圧縮機１とが接続された状態に切り換える。つまり流路は、蒸発器４と熱交換器８と圧縮機１とが接続された状態になる。制御装置５０により第２流路Ｆ２が開通すると、熱交換器８に溜まった冷媒は外気によって加熱され、気液二相状態から過熱蒸気になる。そして過熱蒸気は外気よりも低温の蒸発器４の方向へ熱輸送を行う。具体的には、外気から取り込まれた熱によって、蒸発器４と第１切換え装置５との間に設けられ野菜室５４に配置された蒸発器側の配管９ａが加熱され、加熱された蒸発器側の配管９ａによって野菜室５４が暖められる。また、過熱蒸気になった冷媒は、野菜室５４において二相域から液相域になり、熱交換器８へ戻る。このような工程が繰り返され、冷媒は、外気の熱を効率よく野菜室５４に伝達する。なお、圧縮機１が停止しているとき熱交換器８と圧縮機１とは接続されているが、圧縮機１より凝縮器側には冷媒は流れないようになっている。
【００２６】
実施の形態１では、冷凍冷蔵庫１００は、貯蔵室（野菜室５４）を有する本体９９と、貯蔵室を冷却する冷媒回路３０と、を備え、冷媒回路３０は、冷媒を圧縮する圧縮機１と、圧縮機１の吐出側に接続された凝縮器２と、凝縮器２に接続された減圧装置３と、減圧装置３に接続された蒸発器４と、蒸発器４と圧縮機１とを接続する配管であり、蒸発器側の配管９ａが貯蔵室の壁面に配置された吸入配管９と、吸入配管９の圧縮機側の配管９ｂに並列に接続され、外気と熱交換する熱交換器８と、吸入配管９と熱交換器８との分岐位置に設けられ、蒸発器４と圧縮機側の配管９ｂとが接続される第１流路Ｆ１と、蒸発器４と熱交換器８とが接続される第２流路Ｆ２とを切り換える第１切換え装置５と、を備えるものである。
【００２７】
これにより、第２流路Ｆ２が開通している状態では、冷媒回路３０の低圧側にある冷媒が外気によって加熱され、過熱蒸気となって野菜室５４に熱輸送する。そのため、野菜室等の貯蔵室の加熱に従来のようにヒータ又は冷媒回路の高圧側を利用する構成と異なり、圧縮機１の起動又はヒータへの通電が必要ない。したがって、冷凍冷蔵庫１００の消費電力を低減することができる。
【００２８】
また、冷凍冷蔵庫１００は更に、圧縮機１の停止時に、第２流路Ｆ２になるように第１切換え装置５を制御する制御装置５０を備える。これにより、圧縮機１が停止すると制御装置５０により自動的に冷媒の流路が切り換えられ、加熱対象の貯蔵室が加熱される。したがって、冷凍冷蔵庫１００は、圧縮機１が運転中でないときに冷媒を利用して外気から野菜室５４への熱輸送を行うことができる。
【００２９】
また、冷凍冷蔵庫１００の本体９９には温度帯が異なる複数の貯蔵室（冷蔵室５１、製氷室５２、切替室５３、野菜室５４、及び冷凍室５５等）が設けられ、冷媒回路３０は複数の貯蔵室を冷却するものであり、吸入配管９の蒸発器側の配管９ａは、複数の貯蔵室のうち温度帯が高い貯蔵室（野菜室５４）の壁面に配置されている。
【００３０】
これにより、冷凍冷蔵庫１００は、圧縮機１運転時には蒸発器４により庫内を冷却する他、圧縮機１停止時には蒸発器側の配管９ａを介して野菜室５４を加熱できるので、野菜室５４内を設定に合った温度に調整できる。
【００３１】
また、本体９９は更に、機械室６０を有し、熱交換器８は、機械室６０に設置されている。これにより、熱交換器８は機械室６０の周囲空気と熱交換できる。そのため、圧縮機１運転時の圧縮機１等からの放熱が機械室６０内に残っている場合には、野菜室５４の加熱に利用することができる。
【００３２】
実施の形態２．
図６は、本発明の実施の形態２に係る冷凍冷蔵庫の冷媒回路図である。実施の形態２では、冷媒回路１３０は更に、熱交換器８の上流にリザーバ１２を備えている。なお、冷凍冷蔵庫１００の基本構成は実施の形態１と同じであり、同一の構成を有する部位には同一の符号を付してその説明を省略する。
【００３３】
リザーバ１２は、冷媒を一時的に貯留するタンクである。リザーバ１２は、冷媒回路１３０において、第１切換え装置５が設けられる分岐位置と熱交換器８との間に設けられている。
【００３４】
圧縮機１の運転時には、制御装置５０は、第１切換え装置５を第１流路Ｆ１にし、第２切換え装置６を圧縮機側の配管９ｂと圧縮機１とが接続された状態にている。圧縮機１が停止すると、制御装置５０は、第１切換え装置５を第２流路Ｆ２に切換え、第２切換え装置６を熱交換器８と圧縮機１とが接続された状態にする。つまり流路は、蒸発器４とリザーバ１２と熱交換器８と圧縮機１とが接続された状態になる。制御装置５０により第２流路Ｆ２が開通すると、熱交換器８に溜まった冷媒は外気によって加熱され、気液二相状態から過熱蒸気になる。そして過熱蒸気は外気よりも低温の蒸発器４の方向へ熱輸送を行う。具体的には、外気から取り込まれた熱によって、吸入配管９の蒸発器側の配管９ａが加熱され、加熱された蒸発器側の配管９ａによって野菜室５４が暖められる。このとき過熱蒸気はリザーバ１２に貯留されている冷媒も加熱する。そのため、過熱蒸気が増量され、輸送される熱容量が増加する。過熱蒸気となった冷媒は、野菜室５４において二相域から液相域になり、熱交換器８に戻る。このような工程が繰り返されることで、冷媒は、外気の熱を効率よく野菜室５４に輸送している。
【００３５】
実施の形態２では、冷凍冷蔵庫１００は、貯蔵室（野菜室５４）を有する本体９９と、貯蔵室を冷却する冷媒回路１３０と、を備え、冷媒回路１３０は、冷媒を圧縮する圧縮機１と、圧縮機１の吐出側に接続された凝縮器２と、凝縮器２に接続された減圧装置３と、減圧装置３に接続された蒸発器４と、蒸発器４と圧縮機１とを接続する配管であり、蒸発器側の配管９ａが貯蔵室の壁面に配置された吸入配管９と、吸入配管９の圧縮機側の配管９ｂに並列に接続され、外気と熱交換する熱交換器８と、吸入配管９と熱交換器８との分岐位置に設けられ、蒸発器４と圧縮機側の配管９ａとが接続される第１流路Ｆ１と、蒸発器４と熱交換器８とが接続される第２流路Ｆ２とを切り換える第１切換え装置５と、を備えるものである。
【００３６】
これにより、実施の形態２においても実施の形態１の場合と同様に、第２流路Ｆ２が開通している状態では、冷媒回路１３０の低圧側にある冷媒が外気によって加熱され、過熱蒸気となって熱輸送する。このように貯蔵室を加熱するための電力が必要ないので、冷凍冷蔵庫１００の消費電力を低減させることができる。
【００３７】
また、冷媒回路１３０は更に、第１切換え装置５と熱交換器８との間に設けられ、冷媒を溜めるリザーバ１２を備える。これにより、リザーバ１２に貯えられた冷媒を使うことで熱輸送の容量が増大し、冷凍冷蔵庫１００は、効率よく野菜室５４を加熱できる。
【００３８】
実施の形態３．
図７は、本発明の実施の形態３に係る冷凍冷蔵庫の冷媒回路図である。実施の形態３では、冷媒回路２３０は更に、バイパス切換え装置１３とバイパス管１４とを備えている。なお、冷凍冷蔵庫１００の基本構成は実施の形態１と同じであり、同一の構成を有する部位には同一の符号を付してその説明を省略する。
【００３９】
バイパス管１４の一方は、減圧装置３と蒸発器４との間の配管に接続されている。またバイパス管１４の他方は、第１切換え装置５が設けられている分岐位置と、熱交換器８との間の配管１１に接続されている。
【００４０】
バイパス切換え装置１３は、例えば３方弁もしくは複数の２方弁等で構成され、３方弁のうち１つのポートはバイパス管１４の一方に接続され、残りの２つのポートの一方は減圧装置３に接続され、残りの２つのポートの他方は蒸発器４に接続されている。バイパス切換え装置１３は、減圧装置３と蒸発器４とが接続される第３流路Ｆ３と、減圧装置３と熱交換器８とがバイパス管を介して接続される第４流路Ｆ４とを切り換える。
【００４１】
制御装置２５０は、圧縮機１が運転中であるか停止中であるかを示す運転情報を含む信号を取得し、取得した圧縮機１の運転情報に基づいて第１切換え装置５、第２切換え装置６、及びバイパス切換え装置１３を制御する。
【００４２】
圧縮機１の運転時には、制御装置２５０は、バイパス切換え装置１３を第３流路Ｆ３に、第１切換え装置５を第１流路Ｆ１に、第２切換え装置６を圧縮機側の配管９ｂと圧縮機１とが接続された状態にする。つまり、冷媒回路２３０において冷媒は、圧縮機１、凝縮器２、減圧装置３、蒸発器４、及び吸入配管９を順次通って圧縮機１に戻る。
【００４３】
圧縮機１が停止すると、制御装置２５０は、バイパス切換え装置１３を第４流路Ｆ４に切り換える。冷媒は、冷媒配管内の高低圧差によりバイパス管１４を介して熱交換器８へ移動する。また制御装置２５０は、第１切換え装置５を第２流路Ｆ２に切り換えるとともに第２切換え装置６を熱交換器８と圧縮機１とが接続された状態にする。
【００４４】
制御装置２５０によって第２流路Ｆ２が開通すると、熱交換器８に溜まった冷媒は外気によって加熱され、気液二相状態から過熱蒸気になる。そして過熱蒸気は外気よりも低温の蒸発器４の方向へ熱輸送を行う。具体的には、外気から取り込まれた熱によって、吸入配管９の蒸発器側の配管９ａが加熱され、加熱された蒸発器側の配管９ａによって野菜室５４が暖められる。このとき熱交換器８には、蒸発器４より上流の冷媒がバイパス管１４を通って移動してきている。そのため過熱蒸気が増量され、輸送される熱容量が増加する。過熱蒸気になった冷媒は、野菜室５４において二相域から液相域になり、熱交換器８に戻る。このような工程が繰り返され、冷媒は、外気の熱を効率よく野菜室５４に輸送している。
【００４５】
実施の形態３では、冷凍冷蔵庫１００は、貯蔵室（野菜室５４）を有する本体９９と、貯蔵室を冷却する冷媒回路２３０と、を備え、冷媒回路２３０は、冷媒を圧縮する圧縮機１と、圧縮機１の吐出側に接続された凝縮器２と、凝縮器２に接続された減圧装置３と、減圧装置３に接続された蒸発器４と、蒸発器４と圧縮機１とを接続する配管であり、蒸発器側の配管９ａが貯蔵室の壁面に配置された吸入配管９と、吸入配管９の圧縮機側の配管９ｂに並列に接続され、外気と熱交換する熱交換器８と、吸入配管９と熱交換器８との分岐位置に設けられ、蒸発器４と圧縮機側の配管９ａとが接続される第１流路Ｆ１と、蒸発器４と熱交換器８とが接続される第２流路Ｆ２とを切り換える第１切換え装置５と、を備えるものである。
【００４６】
これにより、実施の形態３においても実施の形態１の場合と同様に、第２流路Ｆ２が開通している状態では、冷媒回路２３０の低圧側にある冷媒が外気によって加熱され、過熱蒸気となって熱輸送する。このように貯蔵室を加熱するための電力が必要ないので、冷凍冷蔵庫１００の消費電力を低減できる。
【００４７】
また、冷媒回路２３０は更に、一方が減圧装置３と蒸発器４との間の配管に接続され、他方が第１切換え装置５と熱交換器８との間の配管１１に接続されたバイパス管１４と、バイパス管１４の一方に設けられ、減圧装置３と蒸発器４とが接続される第３流路Ｆ３と、減圧装置３と熱交換器８とがバイパス管１４を介して接続される第４流路Ｆ４とを切り換えるバイパス切換え装置１３と、を備える。
【００４８】
これにより、第４流路Ｆ４が開通しているときは、蒸発器４より上流の冷媒が配管内の高低圧差により熱交換器８に移動する。そのため冷凍冷蔵庫１００は、熱交換器８の冷媒に加え、熱交換器８に移動した冷媒を熱輸送に利用できるので、野菜室５４等の貯蔵室を効率的に加熱できる。
【００４９】
また、圧縮機１の停止時に、第４流路Ｆ４になるようにバイパス切換え装置１３を制御するとともに、第２流路Ｆ２になるように第１切換え装置５を制御する制御装置２５０を更に備える。これにより、圧縮機１が停止すると制御装置２５０により自動的に冷媒の流路が切り換えられ、野菜室５４が加熱される。したがって、圧縮機１が運転中でないときに低圧側の冷媒を利用して外気から野菜室５４への熱輸送を行うことができる。
【００５０】
なお、本発明の実施の形態は上記実施の形態に限定されず、種々の変更を行うことができる。例えば、圧縮機１の停止後に第２切換え装置６が熱交換器８と圧縮機１とを接続する場合について説明したが、特にこれに限定されない。圧縮機１の停止中に蒸発器側の配管９ａに効率的に熱輸送が行われる流路が確保できればよい。例えば、第２切換え装置６は、圧縮機１の運転中に圧縮機側の配管９ｂと圧縮機１とを接続し、圧縮機１が停止すると圧縮機側の配管９ｂ及び熱交換器８のいずれも圧縮機１と接続されないよう閉止される構成であってもよい。
【００５１】
また、冷凍冷蔵庫１００が複数の貯蔵室を有する場合について説明したが、一つの貯蔵室を備えるものであってもよい。このような冷凍冷蔵庫１００では、蒸発器４による冷却と、圧縮機１停止時の加熱とによって、貯蔵室内の温度が目標温度となるよう調整される。
【００５２】
また、制御装置５０，２５０は、例えば加熱対象の貯蔵室に設けた温度センサの検出温度に基づいて、貯蔵室の加熱を終了させてもよい。具体的には、制御装置５０，２５０は、貯蔵室の温度が目標温度になると第１切換え装置５、第２切換え装置６、及びバイパス切換え装置１３を圧縮機１運転時の接続状態に戻し、次の運転に備える。
【符号の説明】
【００５３】
１  圧縮機、２  凝縮器、３  減圧装置、４  蒸発器、５  第１切換え装置、６  第２切換え装置、７  冷媒の流れ方向、８  熱交換器、９  吸入配管、９ａ  蒸発器側の配管、９ｂ  圧縮機側の配管、１１  配管、１２  リザーバ、１３  バイパス切換え装置、１４  バイパス管、３０，１３０，２３０  冷媒回路、５０，２５０  制御装置、５１  冷蔵室、５２  製氷室、５３  切替室、５４  野菜室、５５  冷凍室、５６  断熱仕切り壁、６０  機械室、６１  機械室ファン、９９  本体、１００  冷凍冷蔵庫、Ｆ１  第１流路、Ｆ２  第２流路、Ｆ３  第３流路、Ｆ４  第４流路。
【図１】
2018025301.tif 000003
【図２】
2018025301.tif 000004
【図３】
2018025301.tif 000005
【図４】
2018025301.tif 000006
【図５】
2018025301.tif 000007
【図６】
2018025301.tif 000008
【図７】
2018025301.tif 000009
【国際調査報告】
2018025301.tif 000010
2018025301.tif 000011
2018025301.tif 000012
2018025301.tif 000013
2018025301.tif 000014
2018025301.tif 000015